【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるアップリンク送信のための方法であって、
１つまたは複数のビーコン信号についての第１の割り当てを受信すること、前記第１の割り当ては、競合ベースのスペクトル中での第１のインターレース割り当てを含む、と、
アップリンク送信のペイロードについてのアップリンク許可のサイズがしきい値より小さいと決定することと、
前記アップリンク送信の前記ペイロードについての前記アップリンク許可の前記サイズが前記しきい値より小さいと決定することに応答して、前記第１の割り当てにしたがって前記１つまたは複数のビーコン信号を送信すること、ここにおいて、前記１つまたは複数のビーコン信号は、前記競合ベースのスペクトル上での前記ＵＥによる帯域幅占有を増大させる、と
を備える、方法。
【請求項２】
前記アップリンク送信の前記ペイロードについての前記アップリンク許可を受信することと、ここにおいて、前記アップリンク許可は、前記競合ベースのスペクトル中での第２のインターレース割り当ておよびリソース割り当てを含み、
前記第２のインターレース割り当て上で前記リソース割り当てにしたがって前記アップリンク送信の前記ペイロードを送信することと、
をさらに備える、請求項１に記載の方法。
【請求項３】
前記第１のインターレース割り当ておよび前記第２のインターレース割り当ては、共通インターレースを割り当て、前記１つまたは複数のビーコン信号を送信することは、前記アップリンク送信で前記ペイロードを送信するために使用される前記リソース割り当てと異なる前記共通インターレースのリソース上で前記１つまたは複数のビーコン信号を送信することを含む、請求項２に記載の方法。
【請求項４】
前記第１のインターレース割り当ては、前記第２のインターレース割り当てと異なる、請求項２に記載の方法。
【請求項５】
前記アップリンク送信の前記ペイロードについての前記アップリンク許可の前記サイズが前記しきい値より小さいと決定することは、前記アップリンク送信の前記ペイロードが物理アップリンク制御チャネル（ＰＵＣＣＨ）ペイロード、物理アップリンク共有チャネル（ＰＵＳＣＨ）ペイロード、または両方を含むと決定することと、および総ペイロードが前記しきい値より小さいと決定することとを含む、請求項１に記載の方法。
【請求項６】
前記アップリンク送信の前記ペイロードについての前記アップリンク許可の前記サイズが前記しきい値より小さいと決定することは、前記ペイロードが空のサブフレームに関連付けられた空のペイロードであると決定することを含む、請求項５に記載の方法。
【請求項７】
前記ペイロードを送信することは、前記第２のインターレース割り当て上で少なくとも１つのＰＵＳＣＨペイロードを、および前記第１のインターレース割り当てにしたがって、少なくとも１つのＰＵＣＣＨペイロードを送信することを含み、前記１つまたは複数のビーコン信号を送信することは、前記少なくとも１つのＰＵＣＣＨペイロードによって占有されていない前記第１のインターレース割り当てに関連付けられたリソースブロック上で前記１つまたは複数のビーコン信号を送信することを含む、請求項２に記載の方法。
【請求項８】
前記第１のインターレース割り当ては、単一周波数ネットワーク（ＳＦＮ）を形成するために、少なくとも１つの追加のＵＥのアップリンク送信と共有される、請求項１に記載の方法。
【請求項９】
前記第１の割り当てにしたがって送信される前記１つまたは複数のビーコン信号は、帯域幅占有レベルを満たすまたは上回る帯域幅占有パーセンテージを提供する、請求項１に記載の方法。
【請求項１０】
前記ペイロードを送信するために使用される送信電力とは別個に、前記１つまたは複数のビーコン信号の各々を送信するために使用される送信電力を制御することをさらに備える、請求項１に記載の方法。
【請求項１１】
前記第２の割り当ては、第１のサブフレームについてのものであり、前記方法は、
第２のサブフレーム上で第２のアップリンク送信の別のペイロードについての第２の許可を受信することと、
前記第１のサブフレームと前記第２のサブフレームとの間の空のサブフレームで前記１つまたは複数のビーコン信号を送信することと
をさらに備える、請求項２に記載の方法。
【請求項１２】
前記リソース割り当ては、サブフレーム内での直交周波数分割多重化（ＯＦＤＭ）シンボルの割り当てまたはリソースブロックの割り当てを含む、請求項２に記載の方法。
【請求項１３】
アップリンク送信のためのユーザ機器（ＵＥ）であって、
１つまたは複数のビーコン信号についての第１の割り当てを受信するための手段、前記第１の割り当ては、競合ベースのスペクトル中での第１のインターレース割り当てを含む、と、
アップリンク送信のペイロードについてのアップリンク許可のサイズがしきい値より小さいと決定するための手段と、
前記アップリンク送信の前記ペイロードについての前記アップリンク許可の前記サイズが前記しきい値より小さいと決定することに応答して、前記第１の割り当てにしたがって前記１つまたは複数のビーコン信号を送信するための手段、ここにおいて、前記１つまたは複数のビーコン信号は、前記競合ベースのスペクトル上での前記ＵＥによる帯域幅占有を増大させる、と
を備えるＵＥ。
【請求項１４】
前記受信するための手段は、さらに前記アップリンク送信の前記ペイロードについての前記アップリンク許可を受信するためのものであり、前記アップリンク許可は、前記競合ベースのスペクトルにおけるリソース割り当ておよび第２のインターレース割り当てを含み、
前記送信するための手段は、さらに前記第２のインターレース割り当て上で前記リソース割り当てにしたがって、前記アップリンク送信の前記ペイロードを送信するためのものである、請求項１３に記載のＵＥ。
【請求項１５】
請求項１乃至１２のいずれか１項に記載の方法を実行するための命令を備えるコンピュータプログラム。
【手続補正２】
【補正対象書類名】明細書
【補正対象項目名】０１３８
【補正方法】変更
【補正の内容】
【０１３８】
[0151]  前述の開示は、例示的な態様を示すが、添付の特許請求の範囲によって定義されるように、本開示の範囲から逸脱することなく、本明細書において様々な変化および修正が行われ得ることに留意されたい。本明細書に記載された開示の態様に従った特許請求の範囲の方法の機能、ステップおよび／または動作は、任意の特定の順序で実行される必要はない。さらに、いくつかの態様は単数で記載または請求され得るが、単数の限定が明確に述べられていない限り、複数が企図される。
以下に、本願出願の当初の特許請求の範囲に記載された発明を付記する。
［Ｃ１］
ユーザ機器（ＵＥ）によるアップリンク送信のための方法であって、
１つまたは複数のビーコン信号についての第１の割り当てを受信することと、前記第１の割り当ては、競合ベースのスペクトル中での第１のインターレース割り当てを含む、
アップリンク送信のペイロードについてのアップリンク許可のサイズがしきい値より小さいと決定することと、
前記アップリンク送信の前記ペイロードについての前記アップリンク許可の前記サイズが前記しきい値より小さいと決定することに応答して、前記第１の割り当てにしたがって前記１つまたは複数のビーコン信号を送信することと、ここにおいて、前記１つまたは複数のビーコン信号は、前記競合ベースのスペクトル上での前記ＵＥによる帯域幅占有を増大させる、
を備える、方法。
［Ｃ２］
前記アップリンク送信の前記ペイロードについての前記アップリンク許可を受信することと、ここにおいて、前記アップリンク許可は、前記競合ベースのスペクトル中での第２のインターレース割り当ておよびリソース割り当てを含む、
前記第２のインターレース割り当て上で前記リソース割り当てにしたがって前記アップリンク送信の前記ペイロードを送信することと、
をさらに備える、［Ｃ１］に記載の方法。
［Ｃ３］
前記第１のインターレース割り当ておよび前記第２のインターレース割り当ては、共通インターレースを割り当て、ここにおいて、前記１つまたは複数のビーコン信号を送信することは、前記アップリンク送信で前記ペイロードを送信するために使用される前記リソース割り当てと異なる前記共通インターレースのリソース上で前記１つまたは複数のビーコン信号を送信することを含む、［Ｃ２］に記載の方法。
［Ｃ４］
前記第１のインターレース割り当ては、前記第２のインターレース割り当てと異なる、［Ｃ２］に記載の方法。
［Ｃ５］
前記アップリンク送信の前記ペイロードについての前記アップリンク許可の前記サイズが前記しきい値より小さいと決定することは、前記アップリンク送信の前記ペイロードが物理アップリンク制御チャネル（ＰＵＣＣＨ）ペイロード、物理アップリンク共有チャネル（ＰＵＳＣＨ）ペイロード、または両方を含むと決定することと、および総ペイロードが前記しきい値より小さいと決定することとを含む、［Ｃ１］に記載の方法。
［Ｃ６］
前記アップリンク送信の前記ペイロードについての前記アップリンク許可の前記サイズが前記しきい値より小さいと決定することは、前記ペイロードが空のサブフレームに関連付けられた空のペイロードであると決定することを含む、［Ｃ５］に記載の方法。
［Ｃ７］
前記ペイロードを送信することは、前記第２のインターレース割り当て上で少なくとも１つのＰＵＳＣＨペイロードを、および前記第１のインターレース割り当てにしたがって、少なくとも１つのＰＵＣＣＨペイロードを送信することを含み、ここにおいて、前記１つまたは複数のビーコン信号を送信することは、前記少なくとも１つのＰＵＣＣＨペイロードによって占有されていない前記第１のインターレース割り当てに関連付けられたリソースブロック上で前記１つまたは複数のビーコン信号を送信することを含む、［Ｃ２］に記載の方法。
［Ｃ８］
前記第１のインターレース割り当ては、単一周波数ネットワーク（ＳＦＮ）を形成するために、少なくとも１つの追加のＵＥのアップリンク送信と共有される、［Ｃ１］に記載の方法。
［Ｃ９］
前記第１の割り当てにしたがって送信される前記１つまたは複数のビーコン信号は、帯域幅占有レベルを満たすまたは上回る帯域幅占有パーセンテージを提供する、［Ｃ１］に記載の方法。
［Ｃ１０］
前記ペイロードを送信するために使用される送信電力とは別個に、前記１つまたは複数のビーコン信号の各々を送信するために使用される送信電力を制御することをさらに備える、［Ｃ１］に記載の方法。
［Ｃ１１］
前記第２の割り当ては、第１のサブフレームについてのものであり、前記方法は、
第２のサブフレーム上で第２のアップリンク送信の別のペイロードについての第２の許可を受信することと、
前記第１のサブフレームと前記第２のサブフレームとの間の空のサブフレームで前記１つまたは複数のビーコン信号を送信することと
をさらに備える、［Ｃ２］に記載の方法。
［Ｃ１２］
前記リソース割り当ては、サブフレーム内での直交周波数分割多重化（ＯＦＤＭ）シンボルの割り当てまたはリソースブロックの割り当てを含む、［Ｃ２］に記載の方法。
［Ｃ１３］
前記リソース割り当ては、前記サブフレーム内の第１のＯＦＤＭシンボルまたは第１のリソースブロックの後にリソースを割り当て、
前記１つまたは複数のビーコン信号を送信することは、前記割り当てられたリソースの前に、前記第１のリソースブロックまたは前記第１のＯＦＤＭシンボル中で、および任意の後続のリソースブロックまたはＯＦＤＭシンボル中で、前記１つまたは複数のビーコン信号を送信することを含む、［Ｃ１２］に記載の方法。
［Ｃ１４］
前記１つまたは複数のビーコン信号の各々は、前記１つまたは複数のビーコン信号を受信および処理するアクセスポイントに既知の信号波形を含む、［Ｃ１］に記載の方法。
［Ｃ１５］
アップリンク送信のためのユーザ機器（ＵＥ）であって、
１つまたは複数のビーコン信号についての第１の割り当てを受信するための手段と、前記第１の割り当ては、競合ベースのスペクトル中での第１のインターレース割り当てを含む、
アップリンク送信のペイロードについてのアップリンク許可のサイズがしきい値より小さいと決定するための手段と、
前記アップリンク送信の前記ペイロードについての前記アップリンク許可の前記サイズが前記しきい値より小さいと決定することに応答して、前記第１の割り当てにしたがって前記１つまたは複数のビーコン信号を送信するための手段と、ここにおいて、前記１つまたは複数のビーコン信号は、前記競合ベースのスペクトル上での前記ＵＥによる帯域幅占有を増大させる、
を備えるＵＥ。
［Ｃ１６］
前記受信するための手段は、さらに前記アップリンク送信の前記ペイロードについての前記アップリンク許可を受信するためのものであり、ここにおいて、前記アップリンク許可は、前記競合ベースのスペクトルにおけるリソース割り当ておよび第２のインターレース割り当てを含む、
前記送信するための手段は、さらに前記第２のインターレース割り当て上で前記リソース割り当てにしたがって、前記アップリンク送信の前記ペイロードを送信するためのものである、［Ｃ１５］に記載のＵＥ。
［Ｃ１７］
アップリンク送信のためのユーザ機器（ＵＥ）であって、
少なくとも１つの割り当てを示す信号を受信するように、および、１つまたは複数のビーコン信号を送信するように構成されたトランシーバと、
メモリと、
前記トランシーバおよび前記メモリに通信可能に結合されたプロセッサと
を備え、ここにおいて、前記プロセッサおよび前記メモリは、
前記トランシーバを介して、前記１つまたは複数のビーコン信号についての第１の割り当てを受信することと、前記第１の割り当ては、競合ベースのスペクトル中での第１のインターレース割り当てを含む、
アップリンク送信のペイロードについてのアップリンク許可のサイズがしきい値より小さいと決定することと、
前記トランシーバを介して、前記アップリンク送信の前記ペイロードについての前記アップリンク許可の前記サイズが前記しきい値より小さいと決定することに応答して、前記第１の割り当てにしたがって前記１つまたは複数のビーコン信号を送信することと、ここにおいて、前記１つまたは複数のビーコン信号は、前記競合ベースのスペクトル上での前記ＵＥによる帯域幅占有を増大させる、
を行うように構成される、ＵＥ。
［Ｃ１８］
前記プロセッサおよび前記メモリは、
前記アップリンク送信の前記ペイロードについての前記アップリンク許可を受信することと、ここにおいて、前記アップリンク許可は、前記競合ベースのスペクトル中でのリソース割り当ておよび第２のインターレース割り当てを含む、
前記第２のインターレース割り当て上で前記リソース割り当てにしたがって前記アップリンク送信の前記ペイロードを送信することと、
を行うようにさらに構成される、［Ｃ１７］に記載のＵＥ。
［Ｃ１９］
前記第１のインターレース割り当ておよび前記第２のインターレース割り当ては、共通インターレースを割り当て、および前記プロセッサおよび前記メモリは、前記アップリンク送信において前記ペイロードを送信するために使用される前記リソース割り当てと異なる前記共通インターレースのリソース上で、前記１つまたは複数のビーコン信号を送信するように構成される、［Ｃ１８］に記載のＵＥ。
［Ｃ２０］
前記プロセッサおよび前記メモリは、前記アップリンク送信の前記ペイロードが物理アップリンク制御チャネル（ＰＵＣＣＨ）ペイロード、物理アップリンク共有チャネル（ＰＵＳＣＨ）ペイロード、または両方を含むと決定することと、および総ペイロードが前記しきい値より小さいと決定することによって、前記アップリンク送信の前記ペイロードについての前記アップリンク許可の前記サイズが前記しきい値より小さいと決定するように構成される、［Ｃ１６］に記載のＵＥ。
［Ｃ２１］
前記プロセッサおよび前記メモリは、前記ペイロードが空のサブフレームに関連付けられた空のペイロードであると決定することによって、前記アップリンク送信の前記ペイロードについての前記アップリンク許可の前記サイズが前記しきい値より小さいと決定するように構成される、［Ｃ１６］に記載のＵＥ。
［Ｃ２２］
前記プロセッサおよび前記メモリは、前記第１のインターレース割り当てにしたがって、前記第２のインターレース割り当て上で少なくとも１つのＰＵＳＣＨペイロードを、および少なくとも１つのＰＵＣＣＨペイロードを送信するように構成され、ここにおいて、前記１つまたは複数のビーコン信号は、前記少なくとも１つのＰＵＣＣＨペイロードによって占有されていない前記第１のインターレース割り当てに関連付けられたリソースブロックを占有する、［Ｃ１７］に記載のＵＥ。
［Ｃ２３］
前記第１のインターレース割り当ては、単一周波数ネットワーク（ＳＦＮ）を形成するために、少なくとも１つの追加のＵＥのアップリンク送信と共有される、［Ｃ１６］に記載のＵＥ。
［Ｃ２４］
前記第１の割り当てにしたがって送信される前記１つまたは複数のビーコン信号は、帯域幅占有レベルを満たすまたは上回る帯域幅占有パーセンテージを提供する、［Ｃ１６］に記載のＵＥ。
［Ｃ２５］
前記プロセッサおよび前記メモリは、
前記ペイロードを送信するために使用される送信電力と別個に、前記１つまたは複数のビーコン信号の各々を送信するために使用される送信電力を制御するように、さらに構成される、［Ｃ１６］に記載のＵＥ。
［Ｃ２６］
前記第２の割り当ては、第１のサブフレームについてのものであり、前記プロセッサおよび前記メモリは、
第２のサブフレーム上で第２のアップリンク送信の別のペイロードについての第３の割り当てを受信することと、
前記トランシーバを介して、前記第１のサブフレームと前記第２のサブフレームとの間の空のサブフレーム中で前記１つまたは複数のビーコン信号を送信することと、
を行うように、さらに構成される、［Ｃ１７］に記載のＵＥ。
［Ｃ２７］
前記リソース割り当ては、リソースブロックの割り当てまたは直交周波数分割多重化（ＯＦＤＭ）シンボルの割り当てを含む、［Ｃ１７］に記載のＵＥ。
［Ｃ２８］
前記１つまたは複数のビーコン信号の各々は、前記１つまたは複数のビーコン信号を受信および処理するアクセスポイントに既知の信号波形を含む、［Ｃ１６］に記載のＵＥ。
［Ｃ２９］
ユーザ機器（ＵＥ）によるアップリンク送信のためのコンピュータ実行可能なコードを記憶したコンピュータ可読媒体であって、
１つまたは複数のビーコン信号についての第１の割り当てを受信するためのコードと、前記第１の割り当ては、競合ベースのスペクトル中での第１のインターレース割り当てを含む、
アップリンク送信のペイロードについてのアップリンク許可のサイズがしきい値より小さいと決定するためのコードと、
前記アップリンク送信の前記ペイロードの前記サイズが前記しきい値より小さいと決定することに応答して、前記第１の割り当てにしたがって前記１つまたは複数のビーコン信号を送信するためのコードと、ここにおいて、前記１つまたは複数のビーコン信号は、前記競合ベースのスペクトル上での前記ＵＥによる帯域幅占有を増大させる、
を備える、コンピュータ可読媒体。
［Ｃ３０］
前記アップリンク送信の前記ペイロードについての前記アップリンク許可を受信するためのコードと、ここにおいて、前記アップリンク許可は、前記競合ベースのスペクトル中でのリソース割り当ておよび第２のインターレース割り当てを含む、
前記第２のインターレース割り当て上で前記リソース割り当てにしたがって前記アップリンク送信の前記ペイロードを送信するためのコードと、
をさらに備える、［Ｃ２９］に記載のコンピュータ可読媒体。